(57)【要約】【課題】１人でもささら桁へ容易に組立作業できる軽量さのみならず、化粧効果と耐久強度に優れた組立階段用の段板を提供する。【解決手段】アルミ合金から中空の平盤形態に押出成形された踏面盤（１１）の内部へ、左右一対づつ合計４個のナット（２１）（２３）を埋設一体化して、そのナット（２１）（２３）の左右相互間へ各々テンションボルト（２５）（２６）を横断状態に螺合締結しておく一方、弾性シートパッキング（３９）が貼り付けられたサイドカバー板（３０）の左右一対を、その横外方から上記路面盤（１１）へのタッピングネジ（３１）（３２）（３３）により施蓋状態に取り付け固定しておくと共に、鋼板性ささら桁（４７）の横外方から上記ナット（２１）（２３）へ螺入締結される組立ボルト（５０）（５１）により、そのささら桁（４７）へ上記踏面盤（１１）を取り付け固定するように定めた。【選択図】  図９
2004232331.tif 000002
【特許請求の範囲】
【請求項１】
アルミ合金から中空の平盤形態に押出成形された踏面盤（１１）の中空内部へ、前後一対のナット保持ポケット（２０）（２２）とその前後相互間に介在する複数のタッピングネジ受け止めポケット（２７）（２８）（２９）とを一体に造形して、
各ナット保持ポケット（２０）（２２）の内部へ埋め込み固定された左右一対のナット（２１）（２３）に、その左右相互間を横断するテンションボルト（２５）（２６）の両端部を螺合締結する一方、
上記ナット保持ポケット（２０）（２２）と対応位置する組立ボルト挿通用バカ孔（３７）（３８）並びに上記タッピングネジ受け止めポケット（２７）（２８）（２９）と対応位置するタッピングネジ挿通用バカ孔（３４）（３５）（３６）が開口分布された左右一対のサイドカバー板（３０）を、そのタッピングネジ挿通用バカ孔（３４）（３５）（３６）から上記タッピングネジ受け止め用ポケット（２７）（２８）（２９）へねじ込み締結されるタッピングネジ（３１）（３２）（３３）の複数により、上記踏面盤（１１）の左右両側面へ施蓋状態に取り付け固定すると共に、
その両サイドカバー板（３０）の外側面へ弾性シートパッキング（３９）を各々貼り付け一体化して、
上記踏面盤（１１）を鋼板製ささら桁（４７）の横外方からサイドカバー板（３０）の組立ボルト挿通用バカ孔（３７）（３８）を経て、上記ナット（２１）（２３）へ螺入締結される組立ボルト（５０）（５１）の複数により、そのささら桁（４７）へ取り付け固定するように定めたことを特徴とする組立階段用の段板。
【請求項２】
アルミ合金から中空の平盤形態に押出成形された踏面盤（１１）と、同じアルミ合金から踏面盤（１１）よりも薄い扁平形態に押出成形された蹴上げ面板（１２）との２ピースから成り、
上記踏面盤（１１）の中空内部へ前後一対のナット保持ポケット（２０）（２２）とその前後相互間に介在する複数のタッピングネジ受け止めポケット（２７）（２８）（２９）とを一体に造形し、
各ナット保持ポケット（２０）（２２）の内部へ埋め込み固定された左右一対のナット（２１）（２３）に、その左右相互間を横断するテンションボルト（２５）（２６）の両端部を螺合締結すると共に、
上記ナット保持ポケット（２０）（２２）と対応位置する組立ボルト挿通用バカ孔（３７）（３８）並びに上記タッピングネジ受け止めポケット（２７）（２８）（２９）と対応位置するタッピングネジ挿通用バカ孔（３４）（３５）（３６）が開口分布された左右一対のサイドカバー板（３０）を、そのタッピングネジ挿通用バカ孔（３４）（３５）（３６）から上記タッピングネジ受け止めポケット（２７）（２８）（２９）へねじ込み締結されるタッピングネジ（３１）（３２）（３３）の複数により、上記踏面盤（１１）の左右両側面へ施蓋状態に取り付け固定して、
その両サイドカバー板（３０）の外側面へ弾性シートパッキング（３９）を各々貼り付け一体化する一方、
上記蹴上げ面板（１２）の中途高さ位置から前向きに張り出す取付片（４０）の差込み脚（４２）を、上記踏面盤（１１）の後面（１１ｒ）から対応的に張り出す蹴上げ面板用受け止めフック（１５）へ差し込み係止させることにより、その蹴上げ面板（１２）を上記踏面盤（１１）とほぼ直交する垂立状態に組立一体化した上、
その踏面盤（１１）を鋼板製ささら桁（４７）の横外方からサイドカバー板（３０）の組立ボルト挿通用バカ孔（３７）（３８）を経て、上記ナット（２１）（２３）へ螺入締結される組立ボルト（５０）（５１）の複数により、そのささら桁（４７）へ取り付け固定するように定めたことを特徴とする組立階段用の段板。
【請求項３】
踏面盤（１１）の押出断面形状を側面視のほぼ長方形として、その中空内部に複数の垂直な仕切り補強壁（１６）（１７）（１８）（１９）を介在させると共に、
その最も前側に偏倚する仕切り補強壁（１６）の中途高さ位置と後面（１１ｒ）の中途高さ位置を、前後一対のナット保持ポケット（２０）（２２）としてナット（２１）（２３）の保持可能な輪郭形状に造形する一方、
その前側の仕切り補強壁（１６）と後面（１１ｒ）との相互間に残存する仕切り補強壁（１７）（１８）（１９）の中途高さ位置を、複数のタッピングネジ受け止めポケット（２７）（２８）（２９）としてタッピングネジ（３１）（３２）（３３）の受け止め可能な輪郭形状に造形したことを特徴とする請求項１又は２記載の組立階段用の段板。
【請求項４】
踏面盤（１１）の押出断面形状を側面視のほぼ長方形として、その踏面（１１ａ）と下面（１１ｂ）並びに前面（１１ｆ）に多数の凸条（１３ａ）（１３ｂ）（１３ｆ）を列設し、
上記前面（１１ｆ）の下端部を水切り縁（１４）として突設する一方、後面（１１ｒ）のナット保持ポケット（２２）からその後面（１１ｒ）と一定の間隔（Ｄ）を保つ水切りスカート（２４）を平行に垂下させると共に、
上記後面（１１ｒ）の上端部付近からほぼＬ字型の蹴上げ面板用受け止めフック（１５）を後向きに張り出したことを特徴とする請求項１又は２記載の組立階段用の段板。
【請求項５】
蹴上げ面板（１２）の下端部付近から取付片（４０）とほぼ平行な振れ止め規制片（４１）を前向きに張り出して、その振れ止め規制片（４１）を踏面盤（１１）の後面（１１ｒ）へ係止させると共に、
その取付片（４０）と振れ止め規制片（４１）との上下相互間に開口分布させた複数のタッピングネジ挿通用バカ孔（４５）から、踏面盤（１１）の後面（１１ｒ）へ各々タッピングネジ（４６）をねじ込み締結することにより、その踏面盤（１１）に対する蹴上げ面板（１２）の組立状態を固定したことを特徴とする請求項２記載の組立階段用の段板。
【発明の詳細な説明】
【０００１】
【発明の属する技術分野】
本発明は組立階段用の段板に関する。
【０００２】
【従来の技術】
各種建物の内部階段や殊更外部階段（非常階段）にふさわしい組立階段用のプレハブ段板とその施工法について、本発明者の１人が先に特開平７−１９７６１４号を提案した。
【０００３】
この公知発明のプレハブ段板（Ｓ）は、鋼板製ささら桁（２１）と別個独立の単位体をなすため、その隣り合うプレハブ段板（Ｓ）の上下相互間隔（Ｈ）や前後相互間隔（Ｌ）を、施工現場での組み立て上自由に調整できる利点がある。
【０００４】
【発明が解決しようとする課題】
ところが、上記公知発明の構成によれば、鋼板から造形された踏面（１１）の箱型内部へ、モルタル（２０）を充填しているため、プレハブ段板（Ｓ）として非常に重量化するばかりでなく、その踏面（１１）の一辺面（後面）から蹴上げ面（１２）が連続一体に起立している関係上、著しく嵩張ることにもなり、その結果生産工場から施工現場への搬送を安価に便利良く行なうことができず、その搬送中や施工現場での取扱い中に、上記蹴上げ面（１２）の不正変形や損傷などを生じるおそれがある。
【０００５】
又、上記プレハブ段板（Ｓ）の工場生産に当っても、その鋼板からの全体的な塑性加工のみならず、踏面（１１）の箱型内部に対するナット（１５）の溶接作業と、そのナット（１５）と螺合締結した連結ボルト（１６）に対する補強鉄筋メッシュ（Ｍ）の溶接作業も行なう必要があるため、未だ非常に煩らわしく、プレハブ段板（Ｓ）の量産効果を発揮させることができず、品質管理上の困難も伴なう。
【０００６】
更に、上記プレハブ段板（Ｓ）の踏面（１１）と蹴上げ面（１２）は、鋼板からの連続一体品として裸状態にあるため、建物の外部階段（非常階段）に適用した場合、特にその踏面（１１）に水切り用傾斜面が造形されていないこととも相俟って、早期に発錆してしまうおそれがあり、上記踏面（１１）をなすモルタル（２０）の上面や蹴上げ面（１２）の内面へ、特別にビニールタイルや絨毯などの仕上げ用化粧材（２５）を貼り付け一体化しなければ、化粧効果を維持することも不可能である。
【０００７】
【課題を解決するための手段】
本発明はこのような諸問題の改良を企図しており、そのために役立つ組立階段用段板の構成として、第１にアルミ合金から中空の平盤形態に押出成形された踏面盤の中空内部へ、前後一対のナット保持ポケットとその前後相互間に介在する複数のタッピングネジ受け止めポケットとを一体に造形して、
【０００８】
各ナット保持ポケットの内部へ埋め込み固定された左右一対のナットに、その左右相互間を横断するテンションボルトの両端部を螺合締結する一方、
【０００９】
上記ナット保持ポケットと対応位置する組立ボルト挿通用バカ孔並びに上記タッピングネジ受け止めポケットと対応位置するタッピングネジ挿通用バカ孔が開口分布された左右一対のサイドカバー板を、そのタッピングネジ挿通用バカ孔から上記タッピングネジ受け止め用ポケットへねじ込み締結されるタッピングネジの複数により、上記踏面盤の左右両側面へ施蓋状態に取り付け固定すると共に、
【００１０】
その両サイドカバー板の外側面へ弾性シートパッキングを各々貼り付け一体化して、
【００１１】
上記踏面盤を鋼板製ささら桁の横外方からサイドカバー板の組立ボルト挿通用バカ孔を経て、上記ナットへ螺入締結される組立ボルトの複数により、そのささら桁へ取り付け固定するように定めたことを特徴とし、
【００１２】
又、第２にアルミ合金から中空の平盤形態に押出成形された踏面盤と、同じアルミ合金から踏面盤よりも薄い扁平形態に押出成形された蹴上げ面板との２ピースから成り、
【００１３】
上記踏面盤の中空内部へ前後一対のナット保持ポケットとその前後相互間に介在する複数のタッピングネジ受け止めポケットとを一体に造形し、
【００１４】
各ナット保持ポケットの内部へ埋め込み固定された左右一対のナットに、その左右相互間を横断するテンションボルトの両端部を螺合締結すると共に、
【００１５】
上記ナット保持ポケットと対応位置する組立ボルト挿通用バカ孔並びに上記タッピングネジ受け止めポケットと対応位置するタッピングネジ挿通用バカ孔が開口分布された左右一対のサイドカバー板を、そのタッピングネジ挿通用バカ孔から上記タッピングネジ受け止めポケットへねじ込み締結されるタッピングネジの複数により、上記踏面盤の左右両側面へ施蓋状態に取り付け固定して、
【００１６】
その両サイドカバー板の外側面へ弾性シートパッキングを各々貼り付け一体化する一方、
【００１７】
上記蹴上げ面板の中途高さ位置から前向きに張り出す取付片の差込み脚を、上記踏面盤の後面から対応的に張り出す蹴上げ面板用受け止めフックへ差し込み係止させることにより、その蹴上げ面板を上記踏面盤とほぼ直交する垂立状態に組立一体化した上、
【００１８】
その踏面盤を鋼板製ささら桁の横外方からサイドカバー板の組立ボルト挿通用バカ孔を経て、上記ナットへ螺入締結される組立ボルトの複数により、そのささら桁へ取り付け固定するように定めたことを特徴とするものである。
【００１９】
【発明の実施の形態】
以下、図面に基いて本発明の具体的構成を詳述すると、図１〜９はその本発明に係る組立階段用の段板（Ｓ）を示しており、これは厚く高剛性の踏面盤（１１）と、その踏面盤（１１）よりも薄く扁平な蹴上げ面板（１２）との別個独立する２ピースから組み立て使用されるが、踏面盤（１１）のみの１ピースとして使用されることもある。
【００２０】
先ず、踏面盤（１１）は図１〜３のような一定の有効奥行長さ（Ｌ１）（例えば約２７０ｍｍ）と幅（Ｗ１）（例えば約１２００ｍｍ）並びに厚み（Ｔ１）（例えば約４５〜５０ｍｍ）を有する中空の平盤形態として、アルミ合金から押出成形されており、その表面にはブロンズなどの各種着色カラーが焼き付けられることもある。
【００２１】
更に言えば、上記踏面盤（１１）は側面視のほぼ長方形な押出断面形状を有し、その上面（踏面）（１１ａ）が水平な下面（１１ｂ）に対して、緩やかな前下がりの傾斜面をなしている。しかも、その踏面（１１ａ）と下面（１１ｂ）並びに垂直な前面（１１ｆ）には、多数の凸条（１３ａ）（１３ｂ）（１３ｆ）が幅方向（左右方向）への平行に列設されてもいる。その踏面（１１ａ）の凸条（１３ａ）が歩行上の滑り止め機能を発揮することは、言うまでもない。
【００２２】
（１４）は上記踏面盤（１１）の前面（１１ｆ）から垂下する水切り縁であって、下面（１１ｂ）との角隅部が若干陥没することとの相対的に突設されており、外部階段（非常階段）としての使用上、その水切り作用を果す。
【００２３】
（１５）は同じく踏面盤（１１）における垂直な後面（１１ｒ）の上端部付近から、後向きに張り出し屈曲するほぼＬ字型の蹴上げ面板用受け止めフックであって、上記踏面（１１ａ）とほぼ同じ高さ位置までの上向きに開口しており、その受け止めフック（１５）の内部へ蹴上げ面板（１２）の後述する差込み脚を、上方から差し込み係止させることができるようになっている。
【００２４】
又、（１６）（１７）（１８）（１９）は上記踏面盤（１１）の中空内部へ並列状態に介在する複数（図例では合計４個）の垂直な仕切り補強壁であって、その最も前側に偏倚する第１仕切り補強壁（１６）の中途高さ位置がナット保持ポケット（２０）として造形されており、その内部には図外の接着剤を介して、左右一対のナット（２１）が埋め込み固定される。
【００２５】
茲に、第１仕切り補強壁（１６）のナット保持ポケット（２０）としては、そのナット（２１）が踏面盤（１１）から露出するおそれはないため、特に図示のようなナット（２１）を部分的に挟む向かい合う上下一対の角皿型として、その前後両面の切り欠き状態に形成することが好ましい。但し、ナット（２１）の外周面全体を包囲する対応的な正六角形の筒状に造形してもさしつかえない。
【００２６】
（２２）は上記ナット保持ポケット（２０）との前後一対をなす対応関係として、同じく踏面盤（１１）における垂直な後面（１１ｒ）の中途高さ位置に造形されたナット保持ポケットであり、その内部にも左右一対のナット（２３）がやはり接着剤（図示省略）を介して埋め込み固定される。
【００２７】
その後面（１１ｒ）のナット保持ポケット（２２）は上記第１仕切り補強壁（１６）のナット保持ポケット（２０）と異なって、ここに埋め込まれたナット（２３）が踏面盤（１１）から後方へ露出することを防ぐために、その前面のみが切り欠かれた擬似正六角形をなしている。但し、これもナット（２３）の外周面全体を包囲する対応的な正六角形の筒状に造形することができる。
【００２８】
しかも、このようなナット保持ポケット（２２）が踏面盤（１１）の垂直な後面（１１ｒ）から張り出す後端部からは、その後面（１１ｒ）と一定の間隔（Ｄ）（例えば約１０ｍｍ）を保って平行する水切りスカート（２４）が、上記踏面盤（１１）の下面（１１ｂ）へ到達する位置までの連続的に垂下しており、やはり外部階段（非常階段）としての使用上、その水切り作用を行なえるようになっている。
【００２９】
上記ナット（２１）（２３）の左右一対づつは、悉く一定の長さ（Ｗ２）（例えば約４５ｍｍ）を有する同一のスチール製品であり、その左右一対づつの向かい合う相互間に亘って、図４、５のように、予じめテンションボルト（２５）（２６）が水平の横断状態に各々螺合締結されている。そのテンションボルト（２５）（２６）の左右両端部と螺合締結された一対づつのナット（２１）（２３）が、上記踏面盤（１１）の押出成形工場において、その踏面盤（１１）におけるナット保持ポケット（２０）（２２）の左右両端部へ各々埋め込み固定されるのである。
【００３０】
そして、踏面盤（１１）の第１仕切り補強壁（１６）に沿って横断する前側のテンションボルト（２５）と、同じく踏面盤（１１）の後面（１１ｒ）に沿って横断する後側のテンションボルト（２６）との平行な一対により、その踏面盤（１１）に集中する応力や撓み変形を防止できるようになっている。
【００３１】
尚、上記テンションボルト（２５）（２６）の前後一対は互いに同一のスチール製品であり、図例ではその何れも全ネジボルトとして具体化しているが、これに代る両端ネジボルトを採用しても勿論良い。
【００３２】
更に、上記踏面盤（１１）における第１仕切り補強壁（１６）と、後面（１１ｒ）との前後相互間に並列残存している第２〜４仕切り補強壁（１７）（１８）（１９）の中途高さ位置は、何れもタッピングネジ受け止めポケット（２７）（２８）（２９）としてほぼＣ字型に造形されている。そのＣ字型に代る円筒型に造形してもさしつかえないが、何れにしてもこれら複数のタッピングネジ受け止めポケット（２７）（２８）（２９）は図２のように、その交互に高低変化する設置高さとして分布させることが好ましい。
【００３３】
（３０）はアルミ合金ダイカスト製品として、図６のような上記踏面盤（１１）とほぼ対応合致する輪郭形状に造形された左右一対のサイドカバー板であり、上記タッピングネジ受け止めポケット（２７）（２８）（２９）へ横方向からねじ込み締結される左右一対づつのタッピングネジ（３１）（３２）（３３）によって、その踏面盤（１１）の左右両側面へ図４、５のような施蓋状態に取り付け固定される。
【００３４】
（３４）（３５）（３６）上記サイドカバー板（３０）の各個に開口分布された複数（図例では３個）づつのタッピングネジ挿通用バカ孔であり、上記第２〜４仕切り補強壁（１７）（１８）（１９）のタッピングネジ受け止めポケット（２７）（２８）（２９）と対応位置していることは言うまでもない。
【００３５】
（３７）（３８）は同じくサイドカバー板（３０）の各個に開口形成された前後一対づつの組立ボルト挿通用バカ孔であって、上記第１仕切り補強壁（１６）のナット保持ポケット（２０）並びに後面（１１ｒ）のナット保持ポケット（２２）に埋め込み固定されているナット（２１）（２３）のネジ孔と合致連通し、後述するささら桁との組立ボルトを受け入れることになる。
【００３６】
（３９）は上記サイドカバー板（３０）の外側面へ図５のように、予じめ貼り付け一体化された弾性シートパッキングの左右一対であり、そのサイドカバー板（３０）と後述するささら桁との相互間における防水作用や、踏面盤（１１）からささら桁へ伝播する振動や騒音などの吸収作用を営なむ。
【００３７】
次に、蹴上げ面板（１２）は上記踏面盤（１１）と同じアルミ合金から、図７、８のような踏面盤（１１）よりも極めて薄く扁平な形態に押出成形されており、一定の背丈（Ｈ１）（例えば約１０５ｍｍ）と板厚（Ｔ２）（例えば約２ｍｍ）を備えている。その背丈（Ｈ１）のうち、上記踏面盤（１１）の踏面（１１ａ）から垂立する有効高さ（Ｈ２）は、一例として約７８ｍｍである。
【００３８】
しかも、その蹴上げ面板（１２）の中途高さ位置からは上記踏面盤（１１）への取付片（４０）と、同じく下端部付近からは踏面盤（１１）に対する振れ止め規制片（４１）との上下一対が、何れも前向きのほぼ水平状態に張り出されており、その取付片（４０）の前端部付近から連続的に垂下する差込み脚（４２）を、段板（Ｓ）の組立工場において図９のように、上記踏面盤（１１）の蹴上げ面板用受け止めフック（１５）へ上方から差し込み係止させれば、その蹴上げ面板（１２）の取付片（４０）が踏面盤（１１）の踏面（１１ａ）とほぼ面一状態に連続するほか、同じく蹴上げ面板（１２）の振れ止め規制片（４１）が上記踏面盤（１１）の後面（１１ｒ）と、その中途高さ位置のナット保持ポケット（２２）との角隅部へ係止して、蹴上げ面板（１２）自身を上記踏面盤（１１）とほぼ直交する垂立姿勢の安定な組立状態に保つこととなる。
【００３９】
その蹴上げ面板（１２）の下端部は水切り縁（４３）として、上記振れ止め規制片（４１）の張り出し位置から更に垂下している一方、同じく蹴上げ面板（１２）の上端部は見切り縁（４４）として若干厚肉化されている。
【００４０】
又、（４５）は上記蹴上げ面板（１２）における取付片（４０）と振れ止め規制片（４１）との上下相互間へ、一定の間隔ピッチを保って開口分布された複数のタッピングネジ挿通用バカ孔であり、ここから踏面盤（１１）の後面（１１ｒ）へタッピングネジ（４６）をねじ込み締結することによって、その踏面盤（１１）に対する蹴上げ面板（１２）の組立状態を固定維持できるようになっている。
【００４１】
尚、蹴上げ面板（１２）は上記有効高さ（Ｈ２）のみの高低変化する各種仕様として成形準備し、これを共通の踏面盤（１１）へ組み替え使用することができ、その有効高さ（Ｈ２）だけ垂立する部分には採光用や通気用などとして役立つ多数の飾り孔（図示省略）を開口分布させても良い。
【００４２】
上記構成を備えた踏面盤（１１）と蹴上げ面板（１２）とは別個独立する２ピースとして、その押出成形工場から別な組立工場へ搬送され、その組立工場において図９のような段板（Ｓ）への組立作業と、一定な単位長さの鋼板製ささら桁（４７）に対する段板（Ｓ）の組立作業が行なわれることにより、一旦図１０〜１３のような梯子形態の単位階段（Ａ）に仕上げられることとなる。
【００４３】
つまり、上記踏面盤（１１）と蹴上げ面板（１２）とから段板（Ｓ）として組み立てるに当っては、図９に示す如く、その蹴上げ面板（１２）における取付片（４０）の差込み脚（４２）を踏面盤（１１）の蹴上げ面板用受け止めフック（１５）へ上方から差し込み係止させ、同じく蹴上げ面板（１２）の振れ止め規制片（４１）を踏面盤（１１）の後面（１１ｒ）へ係止させた位置決め状態のもとで、後方から複数のタッピングネジ（４６）を踏面盤（１１）の後面（１１ｒ）へねじ込み締結することにより、その蹴上げ面板（１２）を踏面盤（１１）とほぼ直交する垂立状態に固定維持すれば良い。
【００４４】
又、このような段板（Ｓ）を鋼板製ささら桁（４７）へ組立作業するに当っては、上記踏面盤（１１）に埋め込み固定されているナット（２１）（２３）のネジ孔や、そのサイドカバー板（３０）の組立ボルト挿通用バカ孔（３７）（３８）と対応合致する組立ボルト挿通用バカ孔（４８）（４９）が開口分布されたささら桁（４７）の左右一対を用意して、そのささら桁（４７）の左右相互間へ上記段板（Ｓ）を順次介挿セットする。
【００４５】
そして、そのささら桁（４７）の組立ボルト挿通用バカ孔（４８）（４９）から踏面盤（１１）の弾性シートパッキング（３９）を突き破りつつ、上記サイドカバー板（３０）の組立ボルト挿通用バカ孔（３７）（３８）を経て、同じく踏面盤（１１）のナット（２１）（２３）へ組立ボルト（５０）（５１）を各々螺入させ、これをささら桁（４７）の横外方から強固に締め上げ操作する。
【００４６】
その場合、上記段板（Ｓ）の踏面盤（１１）はアルミ合金から中空の平盤型に押出成形されたものであり、その蹴上げ面板（１２）も同じくアルミ合金から薄い扁平な形態に押出成形されたものであるため、これらから段板（Ｓ）への組立作業や上記ささら桁（４７）に対する段板（Ｓ）の組立作業を１人の作業者が軽快に能率良く行なえるのであり、図１０〜１３のような梯子形態の単位階段（Ａ）を量産することができる。その単位階段（Ａ）は１階分として、例えば２個の段板（Ｓ）を具備している。
【００４７】
このように一旦仕上げられた段板（Ｓ）は、その組立工場から引き続き施工現場へ搬入され、その施工現場において各種建物の骨組へ、目的とする高さの継ぎ足し連結状態に取り付け固定され、茲に組立階段の施工が完了することになる。
【００４８】
何れにしても、本発明の段板（Ｓ）から組立一体化された単位階段（Ａ）は、上記踏面盤（１１）の中空内部に前後一対のテンションボルト（２５）（２６）が埋め込み固定されているため、軽量であるにも拘らず、その踏面盤（１１）に集中する応力や撓み変形を効果的に防止することができ、又踏面盤（１１）のサイドカバー板（３０）と鋼板製ささら桁（４７）との相互間に介在する上記弾性シートパッキング（３９）の弾性変形作用により、外部階段（非常階段）としての防水効果のみならず、その踏面盤（１１）からささら桁（４７）に伝播する振動や騒音などの吸収効果も達成し得るのである。
【００４９】
殊更、本発明に係る段板（Ｓ）の踏面盤（１１）と蹴上げ面板（１２）は、互いに別個独立しているため、上記有効高さ（Ｈ２）が高低変化する蹴上げ面板（１２）との組み替え使用や、その蹴上げ面板（１２）のみを取りはずした踏面盤（１１）のみの使用により、各種仕様の単位階段（Ａ）を豊富に得られる利点がある。
【００５０】
【発明の効果】
以上のように、本発明に係る組立階段用の段板（Ｓ）では、アルミ合金から中空の平盤形態に押出成形された踏面盤（１１）の中空内部へ、前後一対のナット保持ポケット（２０）（２２）とその前後相互間に介在する複数のタッピングネジ受け止めポケット（２７）（２８）（２９）とを一体に造形して、
【００５１】
各ナット保持ポケット（２０）（２２）の内部へ埋め込み固定された左右一対のナット（２１）（２３）に、その左右相互間を横断するテンションボルト（２５）（２６）の両端部を螺合締結する一方、
【００５２】
上記ナット保持ポケット（２０）（２２）と対応位置する組立ボルト挿通用バカ孔（３７）（３８）並びに上記タッピングネジ受け止めポケット（２７）（２８）（２９）と対応位置するタッピングネジ挿通用バカ孔（３４）（３５）（３６）が開口分布された左右一対のサイドカバー板（３０）を、そのタッピングネジ挿通用バカ孔（３４）（３５）（３６）から上記タッピングネジ受け止め用ポケット（２７）（２８）（２９）へねじ込み締結されるタッピングネジ（３１）（３２）（３３）の複数により、上記踏面盤（１１）の左右両側面へ施蓋状態に取り付け固定すると共に、
【００５３】
その両サイドカバー板（３０）の外側面へ弾性シートパッキング（３９）を各々貼り付け一体化して、
【００５４】
上記踏面盤（１１）を鋼板製ささら桁（４７）の横外方からサイドカバー板（３０）の組立ボルト挿通用バカ孔（３７）（３８）を経て、上記ナット（２１）（２３）へ螺入締結される組立ボルト（５０）（５１）の複数により、そのささら桁（４７）へ取り付け固定するように定めてあるため、冒頭に述べた従来技術の課題を完全に改良できる効果がある。
【００５５】
即ち、本発明の上記構成によれば、その段板（Ｓ）の踏面盤（１１）がアルミ合金から中空の平盤形態に押出成形されており、軽量であるため、組立工場において鋼板製ささら桁（４７）との組立作業を１人でも安楽に能率良く行なえ、その単位階段（Ａ）の量産に役立つ。
【００５６】
又、上記踏面盤（１１）を外部階段（非常階段）に適用したとしても、早期に発錆するおそれがなく、そのささら桁（４７）との相互間に介在することとなる弾性シートパッキング（３９）により、防水効果と振動や騒音などの吸収効果を達成することができる。
【００５７】
更に、アルミ合金から押出成形された軽量品であると雖も、その中空内部のナット保持ポケット（２０）（２２）に埋め込み固定された左右一対のナット（２１）（２３）が、その左右相互間を横断するテンションボルト（２５）（２６）と螺合締結された状態にあるため、そのテンションボルト（２５）（２６）によって踏面盤（１１）に集中する応力や撓み変形を防止することができ、耐久強度の低下するおそれもない。
【００５８】
他方、上記踏面盤（１１）と蹴上げ面板（１２）とから成る請求項２の段板（Ｓ）によれば、その別個独立する２ピースの分解状態として、これを押出成形工場から単位階段（Ａ）の組立工場へ、嵩張ることなく軽量に搬送することができ、その搬送中や組立工場での取扱い中に、上記蹴上げ面板（１２）の不正変形や損傷などを生じるおそれがない。その踏面盤（１１）と蹴上げ面板（１２）とから段板（Ｓ）に組み立てる作業や、その段板（Ｓ）をささら桁（４７）と組み立てる作業も、１人での軽快に能率良く行なえるのである。
【００５９】
請求項１、２に記載した何れの段板（Ｓ）でも、請求項３の構成を採用するならば、踏面盤（１１）の軽量化を図りつつも、耐久強度が低下するおそれを、その中空内部に介在する複数の垂直な仕切り補強壁（１６）（１７）（１８）（１９）によって防止することができ、しかもその仕切り補強壁（１６）（１７）（１８）（１９）を活用して、ナット保持ポケット（２０）（２２）やタッピングネジ受け止めポケット（２７）（２８）（２９）を合理的に造形し得る効果もある。
【００６０】
同じく請求項４の構成を採用するならば、その多数の凸条（１３ａ）（１３ｂ）（１３ｆ）によって表面を好体裁に化粧することができるほか、建物の外部階段（非常階段）に適用するも、その前側の水切り縁（１４）と後側の水切りスカート（２４）によって、自づと水切り作用を行なえる効果がある。
【００６１】
更に、請求項５の構成を採用するならば、踏面盤（１１）と蹴上げ面板（１２）とから成る段板（Ｓ）を容易に正しく組み立てることができ、しかもその組立状態を安定裡に固定維持し得る効果がある。
【図面の簡単な説明】
【図１】本発明に係る組立階段用段板の踏面盤を示す斜面図である。
【図２】図１の拡大側面図である。
【図３】図２の３−３線に沿う中途省略の断面図である。
【図４】踏面盤に対するサイドカバー板の取付状態を示す図２に対応する側面図である。
【図５】踏面盤の仕上がり状態を示す図３に対応する断面図である。
【図６】サイドカバー板を抽出して示す側面図である。
【図７】蹴上げ面板を示す斜面図である。
【図８】図７の拡大側面図である。
【図９】踏面盤と蹴上げ面板とから成る段板の組立状態を示す側断面図である。
【図１０】本発明の段板から成る単位階段の組立状態を示す側断面図である。
【図１１】図１０の１１−１１線に沿う部分拡大断面図である。
【図１２】図１０の１２−１２線に沿う部分拡大断面図である。
【図１３】図１０の１３−１３線に沿う部分拡大断面図である。
【符号の説明】
（１１）・踏面盤
（１１ａ）・踏面（上面）
（１１ｂ）・下面
（１１ｆ）・前面
（１１ｒ）・後面
（１２）・蹴上げ面板
（１４）・水切り縁
（１５）・蹴上げ面板用受け止めフック
（１６）・第１仕切り補強壁
（１７）・第２仕切り補強壁
（１８）・第３仕切り補強壁
（１９）・第４仕切り補強壁
（２０）（２２）・ナット保持ポケット
（２１）（２３）・ナット
（２４）・水切りスカート
（２５）（２６）・・テンションボルト
（２７）（２８）（２９）・タッピングネジ受け止めポケット
（３０）・サイドカバー板
（３１）（３２）（３３）・タッピングネジ
（３４）（３５）（３６）・タッピングネジ挿通用バカ孔
（３７）（３８）・組立ボルト挿通用バカ孔
（３９）・弾性シートパッキング
（４０）・取付片
（４１）・振れ止め規制片
（４２）・差込み脚
（４３）・水切り縁
（４４）・見切り縁
（４５）・タッピングネジ挿通用バカ孔
（４６）・タッピングネジ
（４７）・ささら桁
（４８）（４９）・組立ボルト挿通用バカ孔
（５０）（５１）・組立ボルト
（Ａ）・単位階段
（Ｓ）・段板
【図１】
2004232331.tif 000003
【図２】
2004232331.tif 000004
【図３】
2004232331.tif 000005
【図４】
2004232331.tif 000006
【図５】
2004232331.tif 000007
【図６】
2004232331.tif 000008
【図７】
2004232331.tif 000009
【図８】
2004232331.tif 000010
【図９】
2004232331.tif 000011
【図１０】
2004232331.tif 000012
【図１１】
2004232331.tif 000013
【図１２】
2004232331.tif 000014
【図１３】
2004232331.tif 000015